(57)【要約】【課題】弁体の着座性を良好とし、弁装置の閉弁位置における流体の漏れを低減可能な弁装置を提供することができる。【解決手段】弁装置１０は、弁座６０と弁体７０とを備える。弁座６０は、弁座面６２を有し、流体が流れる流路６４に設けられる。弁体７０は、着座面７２を有し、着座面７２が弁座面６２に着座して流路６４を閉じる閉弁位置と、着座面７２が弁座面６２から離間して流路を開く開弁位置との間で移動する。弁装置１０は、弁座面６２と着座面７２の少なくとも一方の面が湾曲面であり、弁座面６２と着座面７２の他方の面に湾曲面の一部が接触した状態で、弁体７０が閉弁位置と開弁位置との間の移動方向に対して傾動自在に構成されている。【選択図】図５
2020143751.tif 000002
【特許請求の範囲】
【請求項１】
弁座面を有し、流体が流れる流路に設けられる弁座と、
着座面を有し、前記着座面が前記弁座面に着座して前記流路を閉じる閉弁位置と、前記着座面が前記弁座面から離間して前記流路を開く開弁位置との間で移動する弁体と、を備え、
前記弁座面と前記着座面の少なくとも一方の面が湾曲面であり、
前記弁座面と前記着座面の他方の面に前記湾曲面の一部が接触した状態で、前記弁体が前記閉弁位置と前記開弁位置との間の移動方向に対して傾動自在に構成されている弁装置。
【請求項２】
前記他方の面は、前記弁体の前記閉弁位置と前記開弁位置との間の移動方向に対して傾斜した傾斜面である請求項１に記載の弁装置。
【請求項３】
前記弁体の前記閉弁位置において、前記弁座面と前記着座面が接触する部位に対して前記流路の下流側に隣接する隣接領域に、前記隣接領域よりさらに下流側に位置する領域より流路面積が小さい絞り部が形成される請求項１又は請求項２に記載の弁装置。
【請求項４】
前記弁座と前記弁体の一方は、前記弁体の前記閉弁位置と前記開弁位置との間の移動方向に沿って突出する凸条部を備え、
前記弁座と前記弁体の他方は、前記弁体が前記閉弁位置に移動されるのに伴って内部に前記凸条部が挿入される凹条部を備え、
前記絞り部は、前記凹条部に前記凸条部が挿入された状態で、前記凸条部の表面と前記凹条部の内面とによって形成される請求項３に記載の弁装置。
【請求項５】
前記凹条部は、前記内面において前記流路の上流側に位置する上流側面と、前記流路の下流側に位置する下流側面と、を有し、
前記凹条部に前記凸条部が挿入された状態で、前記凸条部が前記上流側面に接触する請求項４に記載の弁装置。
【発明の詳細な説明】
【技術分野】
【０００１】
本発明は弁装置に関する。
【背景技術】
【０００２】
特許文献１には湯水混合装置が開示されている。この湯水混合装置は、湯水混合装置本体と、この湯水混合装置本体内部に移動可能に配置された主弁体と、を有する。この湯水混合装置は、主弁体が移動することにより湯導入口又は水導入口が絞られ、湯水の混合比が変更される。
【０００３】
この湯水混合装置では、主弁体が移動することにより、互いに対向する湯水混合装置本体の平坦な端面と主弁体の平坦な端面とが接触し、湯導入口又は水導入口に通じる流路が閉じられる構成となっている。
【先行技術文献】
【特許文献】
【０００４】
【特許文献１】特開２００６−２７５０８８号公報
【発明の概要】
【発明が解決しようとする課題】
【０００５】
しかし、特許文献１に開示の構成では、湯水混合装置本体と主弁体とが平面同士で接触するから、製造上の寸法誤差や組み付け誤差により主弁体の湯水混合装置本体に対する着座性が悪化する虞がある。すると、湯水混合装置本体と主弁体の間に意図せず隙間が生じて、湯導入口又は水導入口を閉じた状態であっても、湯又は水の漏れを十分に低減できないという問題がある。
【０００６】
本発明は、上記従来の実情に鑑みてなされたものであって、弁体の着座性を良好とし、弁装置の閉弁位置における流体の漏れを低減可能な弁装置を提供することを解決すべき課題としている。
【課題を解決するための手段】
【０００７】
本発明の弁装置は、
弁座面を有し、流体が流れる流路に設けられる弁座と、
着座面を有し、前記着座面が前記弁座面に着座して前記流路を閉じる閉弁位置と、前記着座面が前記弁座面から離間して前記流路を開く開弁位置との間で移動する弁体と、を備え、
前記弁座面と前記着座面の少なくとも一方の面が湾曲面であり、
前記弁座面と前記着座面の他方の面に前記湾曲面の一部が接触した状態で、前記弁体が前記閉弁位置と前記開弁位置との間の移動方向に対して傾動自在に構成されている。
【０００８】
この弁装置は、湾曲面の一部が他方の面に接触した状態で弁体が移動方向に対して傾動自在に構成されているから、弁座面と着座面の製造上の寸法誤差や組み付け誤差を弁体が傾動することにより吸収することができる。そして、弁座面と着座面の少なくとも一方の面が湾曲面とされるから、弁体が傾動した場合に、弁体の傾動前と傾動後とで弁体と弁座が接触する部位が湾曲面内において変位して、弁体が座りのよい着座姿勢となる。
【発明の効果】
【０００９】
本発明によれば、弁体の着座性を良好とし、弁装置の閉弁位置における流体の漏れを低減可能な弁装置を提供することができる。
【図面の簡単な説明】
【００１０】
【図１】（ａ）実施例１の弁装置の外観を斜め上方から視た斜視図である。（ｂ）実施例１の弁装置の外観を斜め下方から視た斜視図である。
【図２】弁装置の断面図である。
【図３】弁装置の第２弁機構の一部を拡大して、開弁状態を示す断面図である。
【図４】弁装置の第２弁機構の一部を拡大して、閉弁状態を示す断面図である。
【図５】第２弁機構の傾動動作について説明するための図である。
【図６】実施例２の弁装置の第２弁機構の一部を拡大して、閉弁状態を示す断面図である。
【図７】実施例３の弁装置の第２弁機構の一部を拡大して、閉弁状態を示す断面図である。
【発明を実施するための形態】
【００１１】
本発明における好ましい実施の形態を説明する。
【００１２】
本発明の弁装置において、前記他方の面は、前記弁体の前記閉弁位置と前記開弁位置との間の移動方向に対して傾斜した傾斜面であってもよい。この構成によれば、弁体が閉弁位置に向けて移動する過程で、傾斜面に沿って弁体を座りの良い傾動姿勢に案内することができ、弁体の着座性がより良好となる。
【００１３】
本発明の弁装置は、前記弁体の前記閉弁位置において、前記弁座面と前記着座面が接触する部位に対して前記流路の下流側に隣接する隣接領域に、前記隣接領域よりさらに下流側に位置する領域より流路面積が小さい絞り部が形成されていてもよい。この構成によれば、絞り部の流路抵抗により、湾曲面が他方の面に接触する部位（接触が予定される部位であって、製造上の誤差等により隙間がある場合を含む）から隣接領域に漏れる流体の量を低減することができる。
【００１４】
本発明の弁装置において、前記弁座と前記弁体の一方は、前記弁体の前記閉弁位置と前記開弁位置との間の移動方向に沿って突出する凸条部を備え、前記弁座と前記弁体の他方は、前記弁体が前記閉弁位置に移動されるのに伴って内部に前記凸条部が挿入される凹条部を備え、前記絞り部は、前記凹条部に前記凸条部が挿入された状態で、前記凸条部の表面と前記凹条部の内面とによって形成されてもよい。この構成によれば、弁体の閉弁位置においては、凹条部に凸条部が挿入された状態とし、絞り部を形成することができる。そして、弁体の開弁位置においては、凹条部から凸条部が抜け出ることにより、絞り部を解消して、弁座と弁体の間に過度な流路抵抗を生じさせることなく流体を流通させることができる。
【００１５】
本発明の弁装置において、前記凹条部は、前記内面において前記流路の上流側に位置する上流側面と、前記流路の下流側に位置する下流側面と、を有し、前記凹条部に前記凸条部が挿入された状態で、前記凸条部が前記上流側面に接触してもよい。この構成によれば、凹条部に凸条部が挿入された状態で、凸条部が上流側面に接触するから、凸条部が接触した部位の下流側に好適に絞り部を形成することができる。
【００１６】
次に、本発明の水栓装置を具体化した実施例１について、図面を参照しつつ説明する。なお、以下の説明では、上下、左右の方向については、図２に表れる向きをそのまま上下、左右方向と定義して説明する。
【００１７】
＜実施例１＞
実施例１の弁装置１０は、水栓装置に設けられ、内部流路１８を開閉する開閉機能と、流量調節機能と、温度調節機能とを有するものである。図１に示されるように、弁装置１０の側面には、湯が流入する湯側ポート１２と、水が流入する水側ポート１４が形成されており、弁装置１０の下端部には、流入した湯水を吐出する吐出ポート１６が形成されている。内部流路１８は、湯側ポート１２及び水側ポート１４と、吐出ポート１６とを連通するようにして形成されている（図２参照）。
【００１８】
弁装置１０は、内部流路１８の開閉状態を変えることで、吐出ポート１６から吐出する湯水の吐止水を変更することができる。弁装置１０は、内部流路１８の開度を変えることで吐出ポート１６から吐出する湯水の流量を調節できる。また、弁装置１０は、湯側ポート１２及び水側ポート１４の開度の配分を変えることで、吐出ポート１６から吐出する湯水の温度を調節することができる。
【００１９】
弁装置１０は、図２に示されるように、ユーザの操作入力を受け付ける構成として、軸部２０及び回転受付部２２を有する。弁装置１０は、軸部２０が押圧操作力を受けて軸方向に移動すると、内部流路１８が開閉されて吐止水が変更される。また、弁装置１０は、軸部２０が回転操作力を受けて軸周りに回転すると、湯側ポート１２及び水側ポート１４の開度の配分が変更されて温度調整がなされる。一方、弁装置１０は、回転受付部２２が回転操作力を受けて軸部２０の軸周りに回転すると、軸部２０に軸力（軸方向にかかる力）が伝達される。そして、弁装置１０は、軸力が伝達され軸部２０が軸方向に移動すると、内部流路１８の開度が変更されて流量調整がなされる。なお以下の説明では、軸部２０の軸方向を単に軸方向という場合がある。
【００２０】
弁装置１０は、図２に示されるように、円筒状のハウジング３０と、内部流路１８の開閉及び流量の調節を行う第１弁機構４０と、温度の調節を行う第２弁機構５０とを備える。ハウジング３０には、中心軸に沿って軸部２０が挿入される。第１弁機構４０と第２弁機構５０は軸方向に並んで配されており、本実施例ではハウジング３０の上部に第１弁機構４０が配され、下部に第２弁機構５０が配される。
【００２１】
ハウジング３０は、樹脂材料などによって形成され、硬質である。ハウジング３０は、上方から順に並んだ第１ハウジング３２、第２ハウジング３４、第３ハウジング３６、及び第４ハウジング３８によって構成される。第２ハウジング３４、第３ハウジング３６、及び第４ハウジング３８の内部には、内部流路１８が形成されている。内部流路１８は、外側流路１８Ａと、外側流路１８Ａの上部に連通して外側流路１８Ａの内側に形成された内側流路１８Ｂと、を有する。第２ハウジング３４と第１ハウジング３２は、内蓋３９によって仕切られ、第１ハウジング３２側に流路１８Ａ，１８Ｂを流れる湯水が移動しないようになっている。
【００２２】
第１ハウジング３２は、回転受付部２２を回転可能に支持する。回転受付部２２は、軸部２０に押圧操作力を伝達する押圧受付部２４の少なくとも一部を収容する。押圧受付部２４は、回転受付部２２に対して軸方向にスライド可能であり、回転受付部２２の回転に連動して回転する。押圧受付部２４の内部には、回転受付部２２に入力された回転操作力を軸方向に沿った軸力に変換して軸部２０に伝達する軸力伝達部２６が設けられている。軸力伝達部２６は、押圧受付部２４に固定された雌ネジ部２６Ａと、軸部２０に固定された雄ネジ部２６Ｂとによって構成されている。
【００２３】
第２ハウジング３４は、円筒状の外側筒部３４Ａと、外側筒部３４Ａの内側に設けられた円筒状の内側筒部３４Ｂと、を備える。第２ハウジング３４は、外側筒部３４Ａと内側筒部３４Ｂの間の空間が外側流路１８Ａの一部を構成し、内側筒部３４Ｂの内部空間が内側流路１８Ｂの一部を構成する。内側筒部３４Ｂには、第２弁機構５０の上部を回転可能に支持する上側支持部３４Ｃが設けられている。なお、第２ハウジング３４は、第１弁機構４０の一部を構成しており、その構成については後に説明する。
【００２４】
第３ハウジング３６と第４ハウジング３８は、共に円筒状をなし、上下に組み付けられている。第３ハウジング３６は、外周面に開口する湯側ポート１２を有している。第４ハウジング３８は、外周面に開口する水側ポート１４を有している。第３ハウジング３６と第４ハウジング３８の内部には、湯側ポート１２と水側ポート１４に連なる外側流路１８Ａが形成されている。また、第４ハウジング３８には、第２弁機構５０の下部を回転可能に支持する下側支持部３８Ａが設けられている。なお、第３ハウジング３６と第４ハウジング３８は、第２弁機構５０の一部を構成しており、その構成については後に説明する。
【００２５】
第１弁機構４０は、図２に示されるように、第１弁座４２と、第１弁体４４と、を備えて構成される。第１弁機構４０は、外側流路１８Ａと内側流路１８Ｂの間に設けられ、通過する湯水の吐止水の切り変え及び流量の調節を行う。第１弁座４２は、第２ハウジング３４の内側筒部３４Ｂの上部によって構成され、内側筒部３４Ｂの上端面が第１弁座面となる。
【００２６】
第１弁体４４は、第１弁本体４４Ａ、ダイアフラム４４Ｂ等によって構成される。第１弁本体４４Ａは、樹脂材料などによって形成され、硬質である。ダイアフラム４４Ｂは、ゴムなどの弾性材料によって形成され、可撓性を有する。ダイアフラム４４Ｂの外周部分が第２ハウジング３４に固定されることにより、第１弁体４４は第２ハウジング３４に対して固定される。弾性体であるダイアフラム４４Ｂの中心部分とそこに固定された第１弁本体４４Ａとは、軸部２０の軸方向への移動や圧力変動により、ダイアフラム４４Ｂの外周部分が第２ハウジング３４に固定された状態で軸方向に移動する。この移動によって第１弁体４４と第１弁座４２との距離が変化し、内部流路１８が開閉する。具体的には、第１弁体４４が第１弁座４２に着座することによって内部流路１８が閉じ、第１弁体４４が第１弁座４２から離れることによって内部流路１８が開く。また、第１弁体４４と第１弁座４２との距離に応じて内部流路１８の開度が変化し、内部流路１８を流れる湯水の流量すなわち吐水流量が変化する。
【００２７】
第２弁機構５０は、図２に示されるように、伝達部材５２と、湯側弁座６０（弁座の一例）と、水側弁座５４（弁座の他の例）と、第２弁体７０（弁体）と、を備えて構成される。第２弁機構５０は、第３ハウジング３６及び第４ハウジング３８の内側に設けられ、湯側ポート１２（第１ポート）及び水側ポート１４（第２ポート）から外側流路１８Ａ内に流入する湯及び水の流量の調節を行うために設けられる。
【００２８】
伝達部材５２は、軸部２０と一体的に回転可能であり、自らの回転を軸方向の動きとして第２弁体７０に伝達する。伝達部材５２は、第２ハウジング３４の上側支持部３４Ｃと第４ハウジング３８の下側支持部３８Ａとにより回転可能に支持される。伝達部材５２の上部と下部には、それぞれ上側支持部３４Ｃとの間をシールするＯリング５６と、下側支持部３８Ａとの間をシールするＯリング５８が設けられている。
【００２９】
伝達部材５２は、円盤状の第１部材５２Ａと、筒状の第２部材５２Ｂと、によって構成される。第１部材５２Ａは、中心に軸部２０が挿入される挿入孔を有する。第１部材５２Ａは、軸部２０の回転に伴って挿入孔の扁平な面に回転トルクが入力され、軸部２０の回転と連動して回転する。第２部材５２Ｂは、第１部材５２Ａの上側に連結され、第１部材５２Ａの回転と連動して回転する。第２部材５２Ｂの外周面には雄ネジ部５２Ｃが設けられている。雄ネジ部５２Ｃは、伝達部材５２の回転力を軸方向に沿った軸力に変換して第２弁体７０に伝達する。この第２部材５２Ｂは、第２ハウジング３４の内側筒部３４Ｂに連なり、内部空間が内側流路１８Ｂの一部を構成する。
【００３０】
湯側弁座６０は、弁座面６２を有し、湯側ポート１２と外側流路１８Ａに連通して湯が流れる流路６４に設けられている（図３参照）。水側弁座５４は、弁座面を有し、水側ポート１４と外側流路１８Ａに連通して水が流れる流路に設けられている。湯側弁座６０と水側弁座５４は、第２弁体７０を挟んで第２弁体７０の上側と下側にそれぞれ配されている。言い換えれば、第２弁機構５０は、軸方向（第２弁体７０の移動方向）の一方側に配された湯側弁座６０（第１の弁座）と、他方側に配された水側弁座５４（第２の弁座）と、を備えた混合弁として構成される。湯側弁座６０は、第３ハウジング３６の一部によって構成され、水側弁座５４は、第４ハウジング３８の一部によって構成される。
【００３１】
第２弁体７０は、軸方向において湯側ポート１２又は水側ポート１４に重なる位置に設けられる。また、第２弁体７０は、径方向において、伝達部材５２と、第３ハウジング３６及び第４ハウジング３８との間に設けられる。第２弁体７０は、軸部２０の回転に応じて軸方向に移動して湯側ポート１２及び水側ポート１４の開度を調節することができ、湯側ポート１２又は水側ポート１４を塞ぐように構成されている。
【００３２】
第２弁体７０は、円筒状の外側筒部７０Ａと、外側筒部７０Ａの内側に設けられた円筒状の内側筒部７０Ｂと、を備える。第２弁体７０は、樹脂材料などによって形成され、硬質である。第２弁体７０は、外側筒部７０Ａと内側筒部７０Ｂの間の空間が外側流路１８Ａを構成し、主に水側ポート１４から流入した水の流路となる。第２弁体７０には、内側筒部７０Ｂの内周面に伝達部材５２の雄ネジ部５２Ｃと螺合する雌ネジ部７０Ｃが設けられており、雌ネジ部７０Ｃに伝達部材５２から軸力が伝達される。第２弁体７０は、軸部２０が軸周りに正転又は逆転することにより、伝達部材５２から軸力が伝達され、軸方向の一方側又は他方側に移動する。この移動によって第２弁体７０と、湯側弁座６０及び水側弁座５４の各々との距離が連動して変化し、湯側ポート１２が開くと水側ポート１４が閉じ、また、水側ポート１４が開くと湯側ポート１２が閉じる。なお、第２弁体７０と湯側弁座６０の離着座に係る構成と、第２弁体７０と水側弁座５４の離着座に係る構成は互いに同様とされており、以下の説明では、第２弁体７０と湯側弁座６０の構成について説明して、第２弁体７０と水側弁座５４の構成についての説明を省略する。
【００３３】
第２弁体７０は、図３及び図４に示されるように、着座面７２を有し、着座面７２が弁座面６２に着座して流路６４を閉じる閉弁位置と、着座面７２が弁座面６２から離間して流路６４を開く開弁位置との間で移動するように構成されている。閉弁位置は、第２弁体７０と湯側弁座６０との隙間が最も絞られた位置である。なお、本願において、「着座面が弁座面に着座して流路を閉じる」とは、着座面が弁座面との間に隙間を有さずに着座して流路が完全に水密に止水される構成のみならず、着座面が弁座面との間に一部隙間を有して着座して完全に水密に止水されない構成も含む。また、開弁位置は、少なくとも閉弁位置よりも第２弁体７０と湯側弁座６０との隙間が閉弁位置より大きい位置である。本実施例では、第２弁体７０が閉弁位置と開弁位置との間で移動する方向は、軸部２０の軸方向に沿う方向となっている。
【００３４】
着座面７２は湾曲面である。本実施例では、第２弁体７０は、閉弁位置と開弁位置との間の移動方向に沿って突出する凸条部７４を備えている。凸条部７４は、環状に延びる形をなし、外周側が流路６４の上流側（湯側ポート１２側）に位置し、内周側が流路６４の下流側（外側流路１８Ａ側）に位置する。着座面７２は、凸条部７４の表面において上流側に位置する面に形成されている。具体的には、凸条部７４は、第２弁体７０の外側筒部７０Ａの上端部として構成され、外周側の角部がＲ形状に面とりされた構成である。凸条部７４の内周側の角部は、外周側の角部より曲率が大きいＲ形状とされる。また、第２弁体７０は、凸条部７４の内周側に、湯側弁座６０と対向する弁体側対向面７６を有する。
【００３５】
弁座面６２は、着座面７２と線状に接触する面であり、例えば、着座面７２より曲率が小さい面として構成される。本実施例では、弁座面６２は、第２弁体７０の閉弁位置と開弁位置との間の移動方向に対して傾斜した傾斜面である。湯側弁座６０は、第２弁体７０が閉弁位置に移動されるのに伴って内部に凸条部７４が挿入される凹条部６８を備えている。凹条部６８は、環状に延びる形をなし、外周側が流路６４の上流側（湯側ポート１２側）に位置し、内周側が流路６４の下流側（外側流路１８Ａ側）に位置する。凹条部６８は、軸方向と直交する面に溝状に凹設され、幅方向における断面視にて外周側の側面を斜辺とする略直角三角形状をなしている。凹条部６８は、内面において流路６４の上流側に位置する上流側面６８Ａと、流路６４の下流側に位置する下流側面６８Ｂと、を有する。弁座面６２は、上流側面６８Ａに形成されている。この弁座面６２は、着座面７２の周囲を囲むように環状に延設され、上方（第２弁体７０が閉弁位置に向かう方向）に向かうにつれて径が小さくなるテーパ面となっている。また、湯側弁座６０は、凹条部６８の内周側に、弁体側対向面７６と対向する弁座側対向面６９を有する。
【００３６】
弁装置１０は、図４に示されるように、第２弁体７０の閉弁位置において、弁座面６２と着座面７２が接触する部位Ｐ１に対して流路６４の下流側に隣接する隣接領域Ｐ２に、隣接領域よりさらに下流側に位置する領域Ｐ３より流路面積が小さい絞り部８０が形成される。なお、弁座面６２と着座面７２が接触する部位Ｐ１は、弁座面６２と着座面７２の接触が予定される部位であって、製造上の誤差等により隙間がある場合を含む。本実施例では、絞り部８０は、凹条部６８に凸条部７４が挿入された状態で、凸条部７４の表面と凹条部６８の内面とによって形成される。絞り部８０は、凹条部６８の上流側面６８ＡのうちＰ１より下流側に位置する面及び下流側面６８Ｂと、凸条部７４の内側角部に沿って形成される。この絞り部８０は、いわゆるラビリンス構造を有している。詳細には、絞り部８０は、外側流路１８Ａ（隣接領域よりさらに下流側に位置する領域Ｐ３の一例）より小さい流路面積を有するとともに、屈曲した流路形状に構成されている。本実施例では、弁体側対向面７６と弁座側対向面６９の間の流路も、外側流路１８Ａより小さい流路面積を有するとともに、絞り部８０から屈曲する形状に構成されている。このような構成により、隣接領域Ｐ２の流路抵抗を大きくして、弁座面６２と着座面７２が接触する部位Ｐ１から隣接領域Ｐ２側に漏れる湯量を減少可能となっている。弁装置１０は、第２弁体７０の開弁位置においては、凹条部６８から凸条部７４が抜け出ることにより、絞り部８０が解消される。
【００３７】
弁装置１０は、図５に示されるように、弁座面６２に着座面７２の一部が接触した状態で、第２弁体７０が閉弁位置と開弁位置との間の移動方向に対して傾動自在に構成されている。具体的には、第２弁体７０は、内側筒部７０Ｂの内周面と伝達部材５２の外周面との間に隙間を有するとともに、雌ネジ部７０Ｃが伝達部材５２の雄ネジ部５２Ｃに対してクリアランスを有して螺合されている。このような構成により、第２弁体７０は伝達部材５２に対して所定量のがたつきが許容されている。すなわち、第２弁体７０は、湯側弁座６０に対して閉弁位置と開弁位置との間の移動方向と直交する方向の変位が規制されつつ、閉弁位置と開弁位置との間の移動方向に対して所定量傾く変位が許容されている。
【００３８】
続いて、本実施例の弁装置１０の作用について図３から図５を参照しつつ説明する。ユーザが図示しない操作部を操作して、軸部２０が軸周りに正転すると、第２弁体７０が開弁位置から閉弁位置に向けて移動する。第２弁体７０が開弁位置から閉弁位置に変位する過程で、凸条部７４が凹条部６８に進入する。そして、凹条部６８の上流側面６８Ａに形成された弁座面６２に、凸条部７４の表面に形成された着座面７２が接触する。湯側弁座６０と第２弁体７０とは、共に硬質な樹脂材料によって形成されており、製造上の誤差により着座面７２において弁座面６２と接触が予定される部位のうち一部が他の部分に先行して弁座面６２に接触する場合がある。なお、図５の二点鎖線は着座面７２の左側の部分が右側の部分に先行して弁座面６２に接触した状態の第２弁体７０を示している。このような場合に、着座面７２の一部が弁座面６２に接触した状態で、第２弁体７０が閉弁位置に向けて変位すると、第２弁体７０が傾動して、着座面７２の略全部が弁座面６２に接触した状態となる（図５において実線で示す第２弁体７０の状態）。すると、流路６４が閉じた状態となり、湯が湯側ポート１２から外側流路１８Ａへほとんど流入しなくなる。この際、着座面７２と弁座面６２とは共に弾性変形を伴わず接触し、いわゆるメタルタッチシール構造と呼ばれるシール構造となる。このため、開弁位置から閉弁位置に至る過程で操作荷重が大きく変化することがなく、操作荷重の変化によりユーザに違和感を与えにくくなっている。なお、本願において、着座面７２の略全部が弁座面６２に接触した状態とは、メタルタッチシール構造である構成上、着座面７２と弁座面６２の間に一部隙間を有して接触した状態であってもよい。
【００３９】
第２弁体７０が傾動する際、湾曲面である着座面７２内において、弁座面６２と接触する部位が第２弁体７０の傾動姿勢に応じて変位する。このため、例えば、着座面が角部の頂に形成されている構成等のように弁座面６２と接触する部位が定まっている場合に比して、着座面７２の略全部が弁座面６２に接触するのに要する第２弁体７０の傾き変位量が小さくなる。さらに、本実施例では、傾斜面である弁座面６２に着座面７２が接触するから、第２弁体７０が傾斜面に沿って座りの良い傾動姿勢に案内される。また、弁座面６２がテーパ面とされることにより、例えば、弁座面が第２弁体７０の移動方向と直交する平坦な面とされる構成に比して、着座面７２の略全部が弁座面６２に接触するのに要する第２弁体７０の傾き変位量が小さくなる。
【００４０】
ユーザが図示しない操作部を操作して、軸部２０が軸周りに逆転すると、第２弁体７０が閉弁位置から開弁位置に向けて移動する。着座面７２が弁座面６２から離れると、第２弁体７０の移動量に応じて流路６４が徐々に開放され、湯が湯側ポート１２から外側流路１８Ａへ流入する。第２弁体７０が閉弁位置から開弁位置に変位する過程で、凸条部７４が凹条部６８から抜け出て、さらに、湯側ポート１２の開口より後退した位置（下方の位置）まで変位する。すると、流路６４内に湯の流れを妨げる構造物がなくなり、十分な量の湯が外側流路１８Ａへ流入することになる。
【００４１】
以上のように、本実施例の弁装置１０は、湯側弁座６０と第２弁体７０とを備える。湯側弁座６０は、弁座面６２を有し、湯が流れる流路６４に設けられている。第２弁体７０は、着座面７２を有し、着座面７２が弁座面６２に着座して流路６４を閉じる閉弁位置と、着座面７２が弁座面６２から離間して流路６４を開く開弁位置との間で移動する。弁装置１０は、着座面７２が湾曲面であり、弁座面６２に着座面７２の一部が接触した状態で、第２弁体７０が閉弁位置と開弁位置との間の移動方向に対して傾動自在に構成されている。
【００４２】
この弁装置１０は、着座面７２の一部が弁座面６２に接触した状態で第２弁体７０が移動方向に対して傾動自在に構成されているから、弁座面６２と着座面７２の製造上の寸法誤差や組み付け誤差を第２弁体７０が傾動することにより吸収することができる。そして、着座面７２が湾曲面とされるから、第２弁体７０が傾動した場合に、第２弁体７０の傾動前と傾動後とで第２弁体７０と湯側弁座６０が接触する部位が湾曲面内において変位して、第２弁体７０が座りのよい着座姿勢となる。
【００４３】
したがって、第２弁体７０の着座性を良好とし、弁装置１０の閉弁位置における湯の漏れを低減することができる。
【００４４】
また、弁座面６２は、第２弁体７０の閉弁位置と開弁位置との間の移動方向に対して傾斜した傾斜面である。この構成によれば、第２弁体７０が閉弁位置に向けて移動する過程で、傾斜面に沿って第２弁体７０を座りの良い傾動姿勢に案内することができ、第２弁体７０の着座性がより良好となる。
【００４５】
また、弁装置１０は、第２弁体７０の閉弁位置において、弁座面６２と着座面７２が接触する部位Ｐ１に対して流路６４の下流側に隣接する隣接領域Ｐ２に、隣接領域Ｐ２よりさらに下流側に位置する領域Ｐ３より流路面積が小さい絞り部８０が形成される。この構成によれば、絞り部８０の流路抵抗により、着座面７２が弁座面６２に接触する部位Ｐ１（接触が予定される部位であって、製造上の誤差等により隙間がある場合を含む）から隣接領域Ｐ２に漏れる湯の量を低減することができる。
【００４６】
また、第２弁体７０の一方は、第２弁体７０の閉弁位置と開弁位置との間の移動方向に沿って突出する凸条部７４を備える。湯側弁座６０は、第２弁体７０が閉弁位置に移動されるのに伴って内部に凸条部７４が挿入される凹条部６８を備える。絞り部８０は、凹条部６８に凸条部７４が挿入された状態で、凸条部７４の表面と凹条部６８の内面とによって形成される。この構成によれば、第２弁体７０の閉弁位置においては、凹条部６８に凸条部７４が挿入された状態とし、絞り部８０を形成することができる。そして、第２弁体７０の開弁位置においては、凹条部６８から凸条部７４が抜け出ることにより、絞り部８０を解消して、湯側弁座６０と第２弁体７０の間に過度な流路抵抗を生じさせることなく湯を流通させることができる。
【００４７】
また、凹条部６８は、内面において流路６４の上流側に位置する上流側面６８Ａと、流路６４の下流側に位置する下流側面６８Ｂと、を有する。凹条部６８に凸条部７４が挿入された状態で、凸条部７４が上流側面６８Ａに接触する。この構成によれば、凹条部６８に凸条部７４が挿入された状態で、凸条部７４が上流側面６８Ａに接触するから、凸条部７４が接触した部位の下流側に絞り部８０を好適に形成することができる。
【００４８】
＜実施例２＞
次に、実施例２に係る弁装置について図６を参照しつつ説明する。実施例２の弁装置は、湯側弁座１６０と第２弁体１７０とを備えている。湯側弁座１６０と第２弁体１７０は、弁座面１６２が湾曲面である点で実施例１と相違する。なお、実施例１と同様の構成は同一の符号を付し、詳細な説明を省略する。
【００４９】
実施例２の弁装置は、湯側弁座１６０が凸条部７４を備え、第２弁体１７０が凹条部６８を備えている。凸条部７４の表面には弁座面１６２が形成される。凹条部６８の内面には着座面１７２が形成される。凸条部７４と凹条部６８の構成及び作用は実施例１と同様であり、その説明を省略する。
【００５０】
＜実施例３＞
次に、実施例３に係る弁装置について図７を参照しつつ説明する。実施例３の弁装置は、湯側弁座２６０と第２弁体２７０とを備えている。湯側弁座２６０と第２弁体２７０は、凸条部と凹条部を有しない点で実施例１と相違する。なお、実施例１と同様の構成は同一の符号を付し、詳細な説明を省略する。
【００５１】
第２弁体２７０は、湯側弁座２６０と対向する対向面と外周面がなす角部に着座面２７２が形成されている。着座面２７２は湾曲面である。湯側弁座２６０は、第２弁体２７０と対向する対向面と第３ハウジング３６の内周面がなす角部に弁座面２６２が形成されている。弁座面２６２は傾斜面である。弁座面２６２は、着座面２７２の周囲を囲むように環状に延設され、上方（第２弁体７０が閉弁位置に向かう方向）に向かうにつれて径が小さくなるテーパ面となっている。実施例３のような構成によれば、第２弁体２７０及び湯側弁座２６０が簡易な構成となり、例えば、第２弁体２７０や湯側弁座２６０を射出成形する際にアンダーカットとなる部分を低減することができる。
【００５２】
本発明は上記記述及び図面によって説明した実施例に限定されるものではなく、例えば次のような実施例も本発明の技術的範囲に含まれる。
（１）実施例１〜実施例３では、弁座面と着座面のうち一方が湾曲面である構成を例示したが、弁座面と着座面の双方が互いに曲率が異なる湾曲面であってもよい。
（２）実施例１〜実施例３では、弁座面が傾斜面である構成を例示したが、弁座面の形状はこれに限定されない。弁座面は、湾曲面や、第２弁体の移動方向と直交する平坦面であってもよい。
（３）実施例１及び実施例２では、凹条部において外周側に上流側面が位置し、内周側に下流側面を有する構成を例示したが、これに限られない。例えば、流体の流れる方向に応じて、凹条部において内周側に上流側面が位置し、外周側に下流側面を有する構成であってもよい。また、凹条部に凸条部が挿入された状態で、凹条部の内面において凸条部が接触する位置は上流側面に限られない。
（４）実施例１では、弁装置が混合弁に用いられる構成を例示したが、弁装置は混合弁以外にも流量を調整するための弁等に用いられてもよい。また、混合弁に用いる場合であっても、弁座面と着座面が湯弁座側と水弁座側の流路のうち一方の流路を開閉する弁のみに適用されてもよい。
（５）実施例１では、弁座面と着座面が環状に形成されるものを例示したが、弁座面と着座面の形状はこれに限られない。例えば、仕切弁等のように、弁座面と着座面は線状に形成されてもよい。
（６）実施例１では、軸部を回動させることにより第２弁体を閉弁位置と開弁位置との間で移動させる構成を例示したが、第２弁体を閉弁位置と開弁位置との間で移動させるための構成は適宜変更可能である。
（７）実施例１では、湯側ポートに湯が流入し、水側ポートに水が流入する構成を例示したが、これに限られない。例えば、湯と水の関係は逆であってよい。また、流体として湯と水以外の液体が流入してもよい。
（８）実施例１では、湯側ポート及び水側ポートから湯水が流入し、１つの吐出ポートから湯水が吐出される構成を例示したが、これに限られない。例えば、流出側に開閉状態を切り替え可能な二つのポートを設け、それらのポートが蛇口とシャワーに通じるように設けられていてもよい。
【符号の説明】
【００５３】
１０…弁装置
６０，１６０，２６０…湯側弁座（弁座）
６２，１６２，２６２…弁座面
６４…流路
６８…凹条部
６８Ａ…上流側面
６８Ｂ…下流側面
６９…弁座側対向面
７０，１７０，２７０…第２弁体（弁体）
７２，１７２，２７２…着座面
７４…凸条部
８０…絞り部
Ｐ１…弁座面と着座面が接触する部位
Ｐ２…隣接領域
Ｐ３…隣接領域よりさらに下流側に位置する領域
【図１】
2020143751.tif 000003
【図２】
2020143751.tif 000004
【図３】
2020143751.tif 000005
【図４】
2020143751.tif 000006
【図５】
2020143751.tif 000007
【図６】
2020143751.tif 000008
【図７】
2020143751.tif 000009